(57)【要約】【課題】  コンテンツ視聴時におけるユーザの周囲環境を加味しつつコンテンツデータ再生時の音量等のパラメータを設定し、ユーザの利便性を向上させる。【解決手段】  コンテンツデータ再生装置ＣＰは、自装置内において信号処理を行うために必要な各種のパラメータの設定を行うと共に、過去にユーザが設定したパラメータの履歴を当該パラメータの設定時刻の属する時間帯と対応付けて、履歴テーブルＴＢＬ１-ｋに保存し、この履歴テーブルＴＢＬ１-ｋに基づいて、各時間帯においてユーザが設定していた各種パラメータの平均値を算出する。このようにして算出された平均値は、平均値テーブルＴＢＬ２-ｋに格納され、コンテンツデータ再生装置ＣＰは、コンテンツデータを再生する際に当該再生時刻を含む時間帯に対応したパラメータを読み出して、音量やコントラスト等の再生に関する設定を自動的に変更する。【選択図】  図１
2006005886.tif 000002
【特許請求の範囲】
【請求項１】
コンテンツデータを取得し、当該取得されたコンテンツデータを再生する再生手段と、
前記コンテンツデータの再生に関する設定状態を示す設定情報であって過去における各再生時に設定されていた設定情報を、当該設定状態にてコンテンツデータが再生された再生時刻を含む時間帯と対応付けて各々保存する履歴管理手段と、
前記再生手段における前記コンテンツデータの再生時刻を取得し、当該再生時刻を含む前記時間帯を特定する特定手段と、を備え、
前記再生手段は、前記特定手段によって特定された時間帯と対応付けて前記履歴管理手段に保存された前記設定情報を用いてコンテンツデータを再生することを特徴とするコンテンツデータ再生装置。
【請求項２】
前記履歴管理手段は、
前記設定情報と当該設定情報に対応する再生時刻を含む前記時間帯とを対応付けて複数、保存し、
前記再生手段は、
前記履歴管理手段によって保存されている複数の設定情報を用いて前記各時間帯において設定されるべき状態を示す前記再生時設定情報を生成し、当該再生時設定情報を用いて前記コンテンツデータを再生することを特徴とする請求項１に記載のコンテンツデータ再生装置。
【請求項３】
前記再生手段は、前記各時間帯毎に前記履歴管理手段に保存されている設定情報に対応した数値の平均値を算出し、当該平均値に基づいて前記再生時設定情報を生成することを特徴とする請求項２に記載のコンテンツデータ再生装置。
【請求項４】
前記再生手段は、生成された再生時設定情報を管理するテーブルを有し、当該生成した再生時設定情報をテーブルに格納することを特徴とする請求項２に記載のコンテンツデータ再生装置。
【請求項５】
前記再生手段は、
前記コンテンツデータの再生中にユーザの指示に基づいて新たな前記設定情報を生成し、当該設定情報を用いて再生に関する設定を変更する設定変更手段を更に有し、
前記履歴管理手段は、前記設定変更手段によって新たに生成された設定情報を当該設定変更がなされた時刻を含む前記時間帯と対応付けて保存することにより、前記履歴を更新する
ことを特徴とする請求項１に記載のコンテンツデータ再生装置。
【請求項６】
前記再生手段は、前記コンテンツデータの再生中に前記時間帯が変動した場合であっても、当該再生中は既に設定されている前記設定状態を維持することを特徴とする請求項１に記載のコンテンツデータ再生装置。
【請求項７】
前記再生手段は、前記コンテンツデータの再生中に前記時間帯が変動した場合に当該変化後の時間帯と対応付けて前記履歴管理手段に保存された前記設定情報を用いて前記設定状態を変更し、当該変更後の設定状態にて前記コンテンツデータの再生を継続することを特徴とする請求項１に記載のコンテンツデータ再生装置。
【請求項８】
前記再生手段は、前記コンテンツデータの再生中に前記時間帯が変動した場合に当該変化後の時間帯と対応付けて前記履歴管理手段に保存された前記設定情報を用いて前記設定状態を変更するに際し、当該変更前の設定状態から、当該新たな設定状態に至るまで段階的に設定状態を変更することを特徴とする請求項７に記載のコンテンツデータ再生装置。
【請求項９】
自装置周辺の騒音及び照度の状態を検出し、当該検出結果に対応した検出情報を取得する検出手段を更に有し、
前記履歴管理手段は、前記取得された検出情報を前記時間帯及び前記設定情報とを対応付けて保存することにより、当該設定情報の履歴を管理し、
前記再生手段は、前記検出手段によって取得された検出情報と対応付けて前記履歴管理手段に保存されている前記設定情報を用いて前記コンテンツデータを再生する
ことを特徴とする請求項１に記載のコンテンツデータ再生装置。
【請求項１０】
コンテンツデータを取得し、当該コンテンツデータを再生するコンテンツデータ再生装置と、
前記コンテンツデータ再生装置と接続された外部機器と、を有するコンテンツデータ再生システムであって、
前記コンテンツデータ再生装置は、
前記コンテンツデータを再生する再生手段と、
前記コンテンツデータの再生に関する設定状態を示す設定情報であって過去における各再生時に設定されていた設定情報を、当該設定状態にてコンテンツデータが再生された再生時刻を含む時間帯と対応付けて各々保存する履歴管理手段と、
前記再生手段における前記コンテンツデータの再生時刻を取得し、当該再生時刻を含む前記時間帯を特定する特定手段と、を備え、
前記再生手段は、前記特定手段によって特定された時間帯と対応付けて前記履歴管理手段に保存された前記設定情報を用いて前記コンテンツデータを再生すると共に、当該設定情報に基づいて前記外部機器の再生に関する設定を変更することを特徴とするコンテンツデータ再生システム。
【請求項１１】
コンピュータによりコンテンツデータを取得して、再生するためのコンテンツデータ再生プログラムであって、
前記コンピュータを、
前記コンテンツデータの再生に関する設定状態を示す設定情報であって過去における各再生時に設定されていた設定情報を、当該設定状態にてコンテンツデータが再生された再生時刻を含む時間帯と対応付けて保存する履歴管理手段、
前記再生手段における前記コンテンツデータの再生時刻を取得し、当該再生時刻を含む前記時間帯を特定する特定手段、
前記再生手段は、前記特定手段によって特定された時間帯と対応付けて前記履歴管理手段に保存された前記設定情報を用いて前記コンテンツデータの再生を制御する再生制御手段、
として機能させることを特徴とするコンテンツデータ再生プログラム。
【発明の詳細な説明】
【技術分野】
【０００１】
本発明は、画質や音質の設定が可能なコンテンツデータ再生装置に関し、特に、上記設定の状態を変更する際の技術に関する。
【背景技術】
【０００２】
従来から、ＤＶＤ等の記録メディアやテレビ等の放送媒体を介して提供される各種のコンテンツデータを再生すべく、テレビ受像器やＡＶ（Audio Visual）アンプ等のコンテンツデータ再生装置が各種提供されるに至っている。この種のコンテンツデータ再生装置は、画像のコントラスト（輝度）や音量等の再生に関する設定状態を決定する各種パラメータを変更する機能が設けられており、ユーザは、これらパラメータの設定値を変更することにより自己の所望する音量、コントラスト、或いは、明るさ（ブライト）によりコンテンツデータを再生することが可能となっている。
【発明の開示】
【発明が解決しようとする課題】
【０００３】
ところで、コンテンツデータの再生時に設定されるパラメータはユーザの嗜好のみならず、コンテンツ視聴時におけるユーザの周囲環境によっても変更する必要性が生じる場合がある。例えば、コンテンツデータを夜間に再生する場合と昼間に再生する場合とを考えた場合、ユーザ周辺の雑音や明るさといった環境が変化するため、逐次、再生時における音量等のパラメータを変更する必要性が生じてくる。従って、各種パラメータの設定をユーザの指示によることなく、視聴時のユーザの周囲環境に適合するように変更できれば、ユーザの利便性を飛躍的に向上させることができるものと考えられるが、現状、かかる機能を有するコンテンツデータ再生装置は実現されていない状況にある。
【０００４】
本願は、以上説明した事情に鑑みてなされたものであって、その課題の一例としては視聴時におけるユーザの周囲環境を加味しつつコンテンツデータ再生時の音量等のパラメータを設定し、ユーザの利便性を向上させることが可能なコンテンツデータ再生装置、コンテンツデータ再生システム及びコンテンツデータ再生プログラムを提供することを目的とする。
【課題を解決するための手段】
【０００５】
上述した課題を解決するため本願の一つの観点において請求項１に記載のコンテンツデータ再生装置は、コンテンツデータを取得し、当該取得されたコンテンツデータを再生する再生手段と、前記コンテンツデータの再生に関する設定状態を示す設定情報であって過去における各再生時に設定されていた設定情報を、当該設定状態にてコンテンツデータが再生された再生時刻を含む時間帯と対応付けて各々保存する履歴管理手段と、前記再生手段における前記コンテンツデータの再生時刻を取得し、当該再生時刻を含む前記時間帯を特定する特定手段と、を備え、前記再生手段は、前記特定手段によって特定された時間帯と対応付けて前記履歴管理手段に保存された前記設定情報を用いてコンテンツデータを再生することを特徴とする。
【０００６】
また、本願の他の観点において請求項１０に記載のコンテンツデータ再生システムは、コンテンツデータを取得し、当該コンテンツデータを再生するコンテンツデータ再生装置と、前記コンテンツデータ再生装置と接続された外部機器と、を有するコンテンツデータ再生システムであって、前記コンテンツデータ再生装置は、前記コンテンツデータを再生する再生手段と、前記コンテンツデータの再生に関する設定状態を示す設定情報であって過去における各再生時に設定されていた設定情報を、当該設定状態にてコンテンツデータが再生された再生時刻を含む時間帯と対応付けて各々保存する履歴管理手段と、前記再生手段における前記コンテンツデータの再生時刻を取得し、当該再生時刻を含む前記時間帯を特定する特定手段と、を備え、前記再生手段は、前記特定手段によって特定された時間帯と対応付けて前記履歴管理手段に保存された前記設定情報を用いて前記コンテンツデータを再生すると共に、当該設定情報に基づいて前記外部機器の再生に関する設定を変更することを特徴とする。
【０００７】
また更に、本願の他の観点において請求項１１に記載のコンテンツデータ再生プログラムは、コンピュータによりコンテンツデータを取得して、再生するためのコンテンツデータ再生プログラムであって、前記コンピュータを、前記コンテンツデータの再生に関する設定状態を示す設定情報であって過去における各再生時に設定されていた設定情報を、当該設定状態にてコンテンツデータが再生された再生時刻を含む時間帯と対応付けて保存する履歴管理手段、前記再生手段における前記コンテンツデータの再生時刻を取得し、当該再生時刻を含む前記時間帯を特定する特定手段、前記再生手段は、前記特定手段によって特定された時間帯と対応付けて前記履歴管理手段に保存された前記設定情報を用いて前記コンテンツデータの再生を制御する再生制御手段、として機能させることを特徴とする。
【発明を実施するための最良の形態】
【０００８】
［１］第１実施形態
［１．１］第１実施形態の構成
（１）コンテンツデータ再生システムＣＰＳの概要
まず、本実施形態にかかるコンテンツデータ再生システムＣＰＳ（以下、単に「システムＣＰＳ」という）の構成を示す図１を参照しつつ、システムＣＰＳの概要について説明する。なお、同図においては、システムＣＰＳを構成するコンテンツデータ再生装置ＣＰをＡＶアンプとした場合の構成例を示している。但し、同システムＣＰＳは、あくまでも、本願の一例にすぎず、例えば、メディア再生装置ＭＰやテレビチューナＴＴといった外部機器とコンテンツデータ再生装置ＣＰを一体的に構成することも可能である。
【０００９】
同図に示すように本実施形態にかかるシステムＣＰＳは、ラジオ波を受信するラジオチューナＲＴと、テレビ波を受信するテレビチューナＴＴと、ＤＶＤレコーダ等のメディア再生装置ＭＰと、モニタＭＮと、フロントライトスピーカＦＲＳと、フロントレフトスピーカＦＬＳと、センタスピーカＣＳと、サラウンドライトスピーカＳＲＳ、サラウンドレフトスピーカＳＬＳと、サブウーファＳＷＳ（以下、各スピーカＳを特定する必要がない場合、単に「スピーカＳ」という）と、コンテンツデータ再生装置ＣＰを有する。
【００１０】
このシステムＣＰＳにおいてはソース、すなわち、ラジオチューナＲＴ、テレビチューナＴＴ或いはメディア再生装置ＭＰ（以下、各装置を特に特定する必要のない場合「ソース」という）からコンテンツデータ再生装置ＣＰにコンテンツデータが供給される。そして、当該コンテンツデータに含まれる映像データがコンテンツデータ再生装置ＣＰによってモニタＭＮに出力される一方、当該コンテンツデータに含まれるオーディオデータについては、コンテンツデータ再生装置ＣＰにより信号処理が施された後、各スピーカＳに出力される。
【００１１】
また、本システムＣＰＳに含まれるコンテンツデータ再生装置ＣＰは、例えば、音量設定やコントラスト、明るさといった再生に関する各種の設定を行うために必要なパラメータを記録している。そして、ユーザが再生に関する各種の設定を行うとコンテンツデータ再生装置ＣＰは、これらのパラメータの中から当該設定内容に対応するパラメータを読み出し、当該読み出したパラメータを利用して自装置内における再生に関する設定を変更すると共に、自装置に接続されているモニタＭＮの再生に関する設定を変更する。
【００１２】
なお、モニタＭＮ以外の外部機器、すなわち、ソースに関する設定をコンテンツデータ再生装置ＣＰにより変更可能とするか否かは任意であるが、本実施形態においてはモニタＭＮのみを設定の対象とするものとして説明を行う。
【００１３】
ここで、本実施形態において特徴的な事項として、このコンテンツデータ再生装置ＣＰはユーザの設定履歴を以下のような方法にて管理、保存することにより各装置の設定状態にコンテンツ視聴時のユーザの周囲環境を反映させる機能（以下、「自動調節機能」という）を実現している。一般にコンテンツ視聴時におけるユーザの周囲環境は時間帯に依存して変化し、例えば、夜間と昼間ではユーザの周囲の明るさや雑音等の環境が著しく変化する可能性が高い。その一方、ユーザの視聴時における周囲環境というものはユーザ毎に区々ではあるものの、同一のユーザに関しては日々大きく変わるものではないという特色も存在している。
【００１４】
そこで、本実施形態にかかるコンテンツデータ再生装置ＣＰは、過去にユーザが設定したパラメータの履歴を当該パラメータの設定時間帯と対応付けて、後述する履歴テーブルＴＢＬ１-ｋ（ｋ＝１、２、・・・、ｍ）に保存し（図２参照）、この履歴テーブルＴＢＬ１-ｋに基づいて各時間帯における設定パラメータの平均値を算出する。このように履歴に基づいて平均値を算出することによりユーザが日々の生活において周囲環境を加味しつつ設定している設定状態を反映したパラメータ値を算出することが可能となる。
【００１５】
そして、コンテンツデータ再生装置ＣＰは、このようにして算出された平均値を後述する平均値テーブルＴＢＬ２-ｋに格納しておき（図３）、コンテンツデータを再生する際に当該再生時刻を含む時間帯に対応したパラメータを読み出して音量やコントラスト等の再生に関する設定を自動的に変更するのである。
【００１６】
なお、各時間帯におけるパラメータの履歴は、一つの履歴テーブルＴＢＬ１-ｋにより管理するようにしても良いが、本実施形態においては各ソース毎に履歴テーブルＴＢＬ１-ｋを設ける構成を採用するものとする。そして、各パラメータの平均値を算出するに際しても、各ソースから供給されるコンテンツデータの再生時におけるパラメータの平均値を別個に算出し、各ソース毎に平均値を管理する構成を採用しているものとする。従って、本実施形態においては、履歴テーブルＴＢＬ１-ｋと平均値テーブルＴＢＬ２-ｋは各々同数ずつ設けられていることとなる。
【００１７】
また、如何なるタイミングにて各装置の設定状態を変更するかについては任意であるが本実施形態においては説明をより具体的なものとするため以下の基準に従うものとする。
【００１８】
＜原則＞
原則として本システムＣＰＳに含まれる各装置の電源が投入されたタイミングに対応する時刻を含む時間帯の平均値に基づいて設定を行う。なお、この場合、電源が投入された時点で選択されているソースに対応する履歴テーブルＴＢＬ１-ｋ及び平均値テーブルＴＢＬ２-ｋを用いて設定を行うものとする。
【００１９】
＜例外＞
既に電源が投入されている状態においてソースの切替えが行われた場合、当該切替タイミングに対応した時刻に基づいてパラメータの再設定を行う。
【００２０】
（２）コンテンツデータ再生装置ＣＰの具体的構成
次いで、上記機能を有する本実施形態にかかるコンテンツデータ再生装置ＣＰの具体的な構成について説明する。まず、図１に示すように、本実施形態にかかるコンテンツデータ再生装置ＣＰは、通信インターフェイス部１（以下、「インターフェイス」を「Ｉ／Ｆ」と略称する）と、セレクタ２と、映像処理部３と、音声処理部４と、システム制御部５と、記録部６と、リモコン受光部７と、指示入力部８と、アンプ部９と、各要素間を相互に接続するデータバス１０を有する。
【００２１】
通信Ｉ／Ｆ部１は、例えば、ＩＥＥＥ（the Institute of Electrical and Electronic Engineers）１３９４等の通信Ｉ／Ｆであり、外部機器を接続するための複数の接続端子を有している。本実施形態において、この接続端子には、外部機器としてメディア再生装置ＭＰ、モニタＭＮ、ラジオチューナＲＴ及びテレビチューナＴＴが接続されており、コンテンツデータ再生装置ＣＰは、この通信Ｉ／Ｆ部１を介して、これらの装置とデータの授受を行う。
【００２２】
リモコン受光部７は、図示せぬリモコン装置から赤外線によって送信された制御信号を受信すると共に、当該受信した制御信号をデータバス１０へと出力する。指示入力部８は、セレクタ２において信号を選択するためのキーと共にカーソルキー等の各種キーが設けられており、ユーザの入力コマンドに対応した制御信号をデータバス１０を介してシステム制御部５へと出力する。
【００２３】
映像処理部３は、（ａ）セレクタ２から入力された映像データ、すなわち、ソースから供給されるコンテンツデータに含まれる映像データ及び（ｂ）システム制御部５から供給される画像データを通信Ｉ／Ｆ部１を介してモニタＭＮへと出力する。なお、この映像処理部３にデコーダを設けるか否かは任意であり、モニタＭＮにデコーダが搭載されている場合には必ずしも映像処理部３にデコーダを設けることは必要とならない。
【００２４】
音声処理部４は、例えば、ＤＳＰ（Digital Signal Processor）を有し、システム制御部５の制御の下、セレクタ２から入力されたオーディオデータに対し各種の信号処理を施してアンプ部９へと出力する。この際、音声処理部４は、各ｃｈに対応するオーディオデータ毎に別個の信号処理を施すことにより、各ｃｈに対応するオーディオデータの音圧レベルや周波数特性、各スピーカＳから音声が出力されるタイミング等の特性に変更を加える。
【００２５】
なお、音声処理部４にＤ／Ａ（デジタル／アナログ）変換器を設けるか否かは任意であり、通信Ｉ／Ｆ部１を介してソースから供給されるオーディオデータがデジタル信号の場合にはＤ／Ａ変換器を設け、Ｄ／Ａ変換した後にアンプ部９に出力するようにすれば良い。
【００２６】
アンプ部９は、音声処理部４からから入力される信号を増幅した後、スピーカＳへと出力する。このアンプ部９は、出力可能なｃｈ数に応じた数の低周波数増幅器及び出力端子を有しており、Ｄ／Ａ変換部９から入力された各ｃｈに対応する音声信号を出力端子に接続された各スピーカＳに出力する。
【００２７】
記録部６は、例えば、ＥＥＰＲＯＭ（Electrically Erasable Programmable Read Only Memory）等の不揮発性メモリから構成されておりシステム制御部５が各種処理を実行するための情報と共に、上述した履歴テーブルＴＢＬ１-ｋと平均値テーブルＴＢＬ２-ｋが記録されている。なお、この記録部６に記録されている情報には、システム制御部５が各装置の設定状態を変更する際に用いるパラメータも含まれている。
【００２８】
システム制御部５は、例えば、ＲＯＭ（Read Only Memory）、ＲＡＭ（Random Access Memory）、ＣＰＵ（Central Processing Unit）を有し、ＲＯＭ内に記録されている制御プログラムを実行することにより音響再生装置Ａの各部を制御する。例えば、上述した基準に従って設定変更のタイミングが招来した場合、システム制御部５は現在時刻を取得し、当該時刻に対応するパラメータを平均値テーブルＴＢＬ２-ｋから読み出し、当該パラメータに基づいて自装置及びモニタＭＮの再生に関する設定を変更する。なお、コンテンツデータの再生中に時間帯を跨ぐこともあるが、この場合であってもシステム制御部５は再生開始時のパラメータを維持する構成となっている。
【００２９】
また、コンテンツデータの再生中に各種パラメータを変更すべき旨の入力操作が指示入力部８或いは図示せぬリモコン装置になされた場合、システム制御部５は、記録部６に記録されているパラメータを利用して当該入力操作に対応した状態へと各装置の設定を変更する。この際、システム制御部５は、ユーザによって変更されたパラメータに基づいて履歴テーブルＴＢＬ１-ｋを更新する。この結果、平均値テーブルＴＢＬ２-ｋに格納される平均値が変動し、事後の再生時においてユーザによるパラメータの変更がコンテンツデータの再生に反映されることとなる。
【００３０】
（３）テーブルＴＢＬ１-ｋ及びＴＢＬ２-ｋについて
次に、履歴テーブルＴＢＬ１-ｋ及び平均値テーブルＴＢＬ２-ｋの具体的な内容と、更新方法について説明する。なお、図２は履歴テーブルＴＢＬ１-ｋの記録内容の一例を示す図であり、図３は平均値テーブルＴＢＬ２-ｋの記録内容の一例を示す図である。
【００３１】
同図に示すように、本実施形態において履歴テーブルＴＢＬ１-ｋにはユーザによって設定されたパラメータの履歴と対応付けて、当該パラメータの設定された時刻に対応する時間帯を示すパラメータが格納されている。なお、時間帯の分割方法については任意であり、例えば、ユーザが時間帯を設定するようにしても良いし、また、一日を（時間帯１）午前７時〜午後０時、（時間帯２）午後１２時〜午後７時、（時間帯３）午後７時〜午後１１時、（時間帯４）午後１１時〜午前７時、という４つの時間帯に分割し時間帯毎に履歴を管理するようにしても良い。
【００３２】
この履歴テーブルＴＢＬ１-ｋにおいて各時間帯と対応付けて格納されているパラメータには、大別してコンテンツデータ再生装置ＣＰ内における設定状態を示す装置内設定パラメータと、モニタＭＮ等の外部機器における設定状態を示す外部機器設定パラメータとが存在する。
【００３３】
なお、装置内設定パラメータ及び外部機器設定パラメータとして、如何なるパラメータを設定するかは任意であるが、図２においては装置内設定パラメータとして、(a1)信号処理時のディレイタイムと、(a2)音声バランスと、(a3)信号処理時の周波数特性と、(a4)信号処理時の残響処理の方法と、(a5)アンプ部９における利得と、(a6)音声処理部４においてオーディオデータにコンプレッションをかける際の当該コンプレッションのかけ方と、を定める各パラメータを設けた場合を例示している。また、同図の場合、外部機器設定パラメータとしては(b1)モニタＭＮにおける映像出力時の画像輪郭の補正値と、(b2)映像出力時の明るさと、(b3)輝度と、を定める各パラメータを設けた場合について例示している。
【００３４】
この履歴テーブルＴＢＬ１-ｋの各フィールドは、製品製造時、デフォルトにてブランクに設定されており、その後、ユーザにより設定が変更される度にシステム制御部５により履歴が追記され、更新される構成となっている。
【００３５】
また、この履歴テーブルＴＢＬ１-ｋに格納されている各パラメータは予め定められたタイミングにて平均値が算出され、平均値テーブルＴＢＬ２-ｋに格納される。
【００３６】
［１．２］第１実施形態の動作
次に、図４を参照しつつ本実施形態にかかるシステムＣＰＳにおいてコンテンツデータを再生する際における具体的な動作について説明することとする。なお、図３に示す処理は、システム制御部５によるメインの制御プログラムの実行中に上記設定変更のタイミングが到来した時点でシステム制御部５が実行するサブルーチンとなっている。
【００３７】
まず、ユーザがメディア再生装置ＭＰ、モニタＭＮ及びコンテンツデータ再生装置ＣＰの電源を投入すると、システム制御部５は図４にフローチャートを示す処理を開始する。この処理においてシステム制御部５は、まず、セレクタ２の選択状態に基づいてソース種別を判別し（ステップＳ１）、自動調節機能が「ＯＮ」に設定されているか否かを判定する（ステップＳ２）。
【００３８】
そして、この判定の結果「ｎｏ」と判定した場合、システム制御部５は音量等の自動調節を行うことなく、前回のパラメータ値を用いて設定を行い（ステップＳ６）、ステップＳ７を実行する。
【００３９】
一方、この判定の結果「ｙｅｓ」と判定した場合、システム制御部５は現在時刻を取得した後（ステップＳ３）、ステップＳ１において判別されたソースに対応する履歴テーブルＴＢＬ１-ｋを読み出し、当該現在時刻を含む時間帯に対応したパラメータのサンプル数「Ａ」が所定の閾値「ｎ」を越えているか否かを判定する（ステップＳ４）。この際、システム制御部５は、履歴テーブルＴＢＬ１-ｋをサーチして、現在時刻を含む時間帯を示すパラメータが格納されているフィールド数を算出し、このフィールド数をサンプル数「Ａ」とみなして判定を行う。
【００４０】
このステップＳ４において「ｙｅｓ」と判定した場合、システム制御部５は、ステップＳ３において取得した時刻に対応するパラメータの平均値を平均値テーブルＴＢＬ２-ｋから読み出し、当該平均値に基づいて各装置の設定を変更して（ステップＳ５）、ステップＳ７に処理を移行する。これに対して、ステップＳ４において「ｎｏ」と判定した場合、システム制御部５は、上記ステップＳ６を実行した後、処理をステップＳ７に移行する。
【００４１】
このように、サンプル数「Ａ」の値に応じて平均値テーブルＴＢＬ２-ｋに格納されているパラメータを利用するか否かを決定するのは、次のような理由によるものである。すなわち、平均値を算出する場合、通常、サンプル数が増加すればするほど一定の値に収束することとなる。従って、ユーザの通常生活における周囲環境を考慮したパラメータ値というものも、ある程度の数のサンプルが取得できないと信頼性が確保できない。その一方において、サンプル数「Ａ」が２個か３個しかない場合に平均値を取り、当該平均値を利用して音量等の設定を変更してしまうとユーザが予期しない音量でコンテンツデータが再生されるような事態も生じうる。このため、本実施形態においてはサンプル数「Ａ」が所定の閾値「ｎ」を越えた場合にのみ当該平均値がユーザの周囲環境を加味して決定されたパラメータ値であるものとして扱い、当該パラメータを用いて音量等の設定を行うこととしているのである。
【００４２】
なお、閾値「ｎ」として、具体的な数値を設定する場合、「ｎ」の値は大きくなればなるほど信頼性を確保できることとなるが、実用上の関係から「１０〜２０」程度に設定することが望ましい。
【００４３】
次いで、以上説明した処理を経て処理がステップＳ７に進むとシステム制御部５は、ユーザによる設定変更指示が指示入力部８やリモコン装置に対して行われたか否かを判定する状態となる。そして、この判定において「ｎｏ」と判定した場合、システム制御部５はステップＳ８〜Ｓ１１を実行することなくステップＳ１２を実行し、各装置の設定状態の切替えタイミングが到来したか、或いは、装置の電源オフコマンドが入力されたか否かを判定する状態となり、「ｎｏ」と判定した場合には再度ステップＳ７を実行する。なお、設定変更時の操作方法は任意であり、例えば、各パラメータを変更するためのキーを指示入力部８及びリモコン装置に設けるようにしても良い。
【００４４】
これに対し、ステップＳ７において「ｙｅｓ」と判定した場合、システム制御部５は、ユーザによる指示に従い音量等の再生に関する設定を変更し（ステップＳ８）、当該変更後のパラメータにより履歴テーブルＴＢＬ１-ｋを更新した後（ステップＳ９）、履歴テーブルＴＢＬ１-ｋに格納されているサンプル数「Ａ」が閾値「ｎ」を越えているか否かを判定する（ステップＳ１０）。
【００４５】
この判定の結果、閾値「ｎ」を越えている場合（「ｙｅｓ」）、システム制御部５は、履歴テーブルＴＢＬ１-ｋに格納されているパラメータを読み出し、平均値を算出して平均値テーブルＴＢＬ１-ｋを更新した後に（ステップＳ１１）、処理をステップＳ１２に移行する。この際、システム制御部５は、当該時点における時刻を取得し、当該時刻を含む時間帯と対応付けられているパラメータを履歴テーブルＴＢＬ１-ｋから読み出して、当該パラメータに基づいて平均値を算出する。
【００４６】
なお、かかる平均値の算出に際して、如何なる方法を採用するかについては、任意であり、相加平均（単純平均）を算出するようにしても良いし、各履歴に対応したパラメータに対して重み付けを行って平均値を算出するようにしても良い。重み付けを行う場合、履歴中の新しいものに対して強い重み付けを行えば、ユーザの近時における設定状態を反映することが可能である。
【００４７】
一方、ステップＳ１０において「ｎｏ」と判定した場合、システム制御部５は、ステップＳ１１を実行することなく、ステップＳ１２の処理を実行し、上述した設定の切替えタイミングが到来し、或いは、装置の電源オフコマンドが入力されたか否かを判定する状態となる。そして、この判定の結果、「ｎｏ」と判定した場合、システム制御部５は、ステップＳ７〜Ｓ１２の処理を繰り返すのに対し、「ｙｅｓ」と判定された場合、システム制御部５は、本サブルーチンを終了する。なお、ステップＳ１２において切替えタイミングが到来している場合、再度、本サブルーチンが実行され、新たなソースに対応する最適な設定へと切替えが行われることとなる。
【００４８】
このようにして、本実施形態にかかるシステムＣＰＳにおいてコンテンツデータ再生装置ＣＰは、通信Ｉ／Ｆ部１を介してソースから取得されたコンテンツデータがシステム制御部５による制御の下、映像処理部３及び音声処理部４において処理された後、スピーカＳ及びモニタＭＮによって出力される。かかる再生に際して、システム制御部５は、コンテンツデータの再生に関する設定状態を示すパラメータであって過去における各再生時に設定されていたパラメータを当該設定状態にてコンテンツデータが再生された再生時刻を含む時間帯と対応付けて各々記録部６の履歴テーブルＴＢＬ１-ｋに保存する。そして、システム制御部５は、コンテンツデータ再生開始時に当該再生時刻を取得し、当該再生時刻を含む時間帯を特定する構成となっている。このようにして、管理される設定履歴のパラメータはコンテンツデータ再生時に利用され、システム制御部５はかかる履歴に対応するパラメータ値を用いてコンテンツデータの再生を行う構成となっている。
【００４９】
この構成により、コンテンツデータの再生時刻を含む時間帯において過去に設定されていた音量等の設定状態を示すパラメータを反映してコンテンツデータが再生されることとなる。このため、各時間帯毎に変化する視聴時におけるユーザの周囲環境を加味しつつコンテンツデータ再生時の音量等のパラメータを決定し、ユーザの利便性を向上させることが可能となる。
【００５０】
また、本実施形態にかかるコンテンツデータ再生装置ＣＰにおいては、履歴テーブルＴＢＬ１-ｋにパラメータと時間帯とを対応付けて複数格納し、システム制御部５は、履歴テーブルＴＢＬ１-ｋに格納されている複数のパラメータに基づき、各時間帯において設定されるべき状態を示す最適なパラメータを生成し、当該生成したパラメータを利用してコンテンツデータを再生する構成となっている。そして、本実施形態にかかるコンテンツデータ再生装置ＣＰＳにおいてシステム制御部５は、各時間帯毎に履歴テーブルＴＢＬ１-ｋに格納されているパラメータの平均値を算出し、当該平均値に基づいて各時間帯において設定されるべき最適なパラメータを決定する構成となっている。この構成により、各時間帯毎にユーザが設定したパラメータの平均値が算出されるため、普段のユーザの生活環境を最も良く反映したパラメータを決定することが可能となる。なお、この場合における、サンプル値「Ａ」との関係に関しては、上述の通りである。
【００５１】
また更に、本実施形態においてコンテンツデータ再生装置ＣＰは、システム制御部５が決定したパラメータの平均値を格納するための平均値テーブルＴＢＬ２-ｋを有し、当該パラメータは、このテーブルＴＢＬ２-ｋを用いて管理されるようになっている。このため、設定変更を行う度に平均値を算出する必要性がなくなり、設定決定時における処理時間の短縮化を図ることが可能となる。
【００５２】
更に、本実施形態にかかるコンテンツデータ再生装置ＣＰにおいてシステム制御部５は、コンテンツデータの再生中にユーザによる指示が指示入力部８等に入力された場合、当該指示に基づいて新たなパラメータを決定し、当該パラメータに基づいて再生に関する設定を変更し、履歴テーブルＴＢＬ１-ｋには当該パラメータが当該設定変更がなされた時刻を含む時間帯と対応付けて格納される構成となっている。この構成により、コンテンツデータの再生中におけるパラメータの変更履歴が随時、履歴テーブルＴＢＬ１-ｋに格納され、後の再生時における設定状態に反映されていくこととなり、パラメータ設定に関するユーザの嗜好の変化やユーザの周囲環境の変化に柔軟に対応することが可能となる。
【００５３】
更にまた、システム制御部５は、コンテンツデータの再生中に時間帯が変動した場合であっても、当該再生中は既に設定されている設定状態を維持する構成となっているため、ユーザの意図しないところで突然設定状態が変更されてしまうことを防止することが可能となる。
【００５４】
なお、本実施形態においては、コンテンツデータの再生中に時間帯を跨いだとしても開始時に設定された設定を維持する構成を採用していたが、再生中に時間帯を跨いだ場合にパラメータの再設定を行うようにしても良い。また、この場合、ユーザが何れかの設定状態、すなわち、時間帯を跨いだときに開始時の設定状態を維持するか否かを選択できるようにしても良い。
【００５５】
また更に、かかる構成を採用する場合、当該時間帯を跨いだ瞬間に突然、設定を変更するとユーザに違和感を与える可能性がある。特に、設定音量が突然大きくなるとユーザを驚かせることになりかねない。そこで、コンテンツデータの再生中に時間帯を跨いだ場合にパラメータの再設定を行う態様を採用する場合、例えば、パラメータ値を１０秒間隔にて一定値ずつシフトさせ目標値に再設定する等、段階的な設定を行うことによりユーザに違和感を与えることなくコンテンツデータの再生中に設定を変更することが可能となる。
【００５６】
更に、本実施形態にかかるコンテンツデータ再生装置ＣＰは平均値テーブルＴＢＬ２-ｋを設け、履歴テーブルＴＢＬ１-ｋに基づいて算出された平均値を格納し、設定を行う場合には、この平均値テーブルＴＢＬ２-ｋに格納されている平均値を用いて設定を行う構成となっている。しかし、平均値テーブルＴＢＬ２-ｋを設けず設定を行う度に平均値を算出するようにしても良い。
【００５７】
更にまた、本実施形態にかかるコンテンツデータ再生装置ＣＰは、履歴テーブルＴＢＬ１-ｋに履歴を格納するようにしているが平均値テーブルＴＢＬ２-ｋのみを設け平均値のみを管理する構成としても良い。
【００５８】
また、履歴テーブルＴＢＬ１-ｋに格納しておくパラメータのサンプル数に関しては幾つでも良く、コンテンツデータ再生装置ＣＰに搭載するメモリの容量に応じて決定するようにしても良い。
【００５９】
また更に、本実施形態においては、サンプル数「Ａ」が閾値「ｎ」を越えるまでは、平均値テーブルＴＢＬ２-ｋに格納されているパラメータを利用せずに、前回の設定を優先する構成となっていた。しかし、各時間帯において設定されるべきパラメータをデフォルトにて決定しておき、サンプル数「Ａ」が閾値「ｎ」を越えるまでは、当該デフォルトにて設定されたパラメータを利用して設定を行うようにしても良い。
【００６０】
また更に、本実施形態においては、コンテンツデータ再生装置ＣＰにおいてユーザにより設定されたパラメータを管理し、当該パラメータに基づいて各装置の設定を変更する構成を採用していた。しかし、当該処理の動作を規定するプログラムが記録された記録媒体と、それを読み取るコンピュータと、を備え、このコンピュータで当該プログラムを読み込むことによって上述と同様の処理動作を行うようにしてもよい。
【００６１】
更に、この構成を採用する場合、当該プログラムをネットワーク上のサーバに保存し、コンテンツデータ再生装置ＣＰからの要求に応じてダウンロードする構成としても良い。この場合、ＡＶアンプ等のバージョンアップを行い、本実施形態にかかるコンテンツデータ再生装置ＣＰと同様の処理を実現することが可能となる。
【００６２】
［２］第２実施形態
図５は、本実施形態にかかるコンテンツデータ再生システムＣＰＳ２（以下、「システムＣＰＳ２」という）の構成を示すブロック図である。なお、同図において上述した図１に示す要素と同様の要素については、同様の符号を付してある。
【００６３】
ここで、上記第１実施形態においてはユーザの履歴に基づいて各時間帯毎のパラメータの平均値を算出することによりユーザの周囲環境を予測し、当該平均値を用いて再生に関する設定を行う構成となっていた。これに対して、本実施形態にかかるシステムＣＰＳ２は各装置の設定を行う際にユーザによるパラメータの設定履歴のみならずユーザの周囲における騒音や明るさ等の環境を検出し、騒音等の要因をも加味した設定を実現するためのものである。
【００６４】
かかる機能を実現するため本実施形態にかかるコンテンツデータ再生装置ＣＰ２には上記図１に示した各要素と共にセンサ部１１が設けられている。このセンサ部１１はフォトダイオードから構成される光センサとマイクを有しておりユーザのコンテンツ視聴時における周辺の明るさ及び騒音のレベルを検出し、当該検出結果に応じた検出信号をシステム制御部５に出力する。
【００６５】
一方、システム制御部５は、履歴テーブルＴＢＬ１-ｋの更新時に各パラメータの設定値と対応付けて（Ａ）当該パラメータの設定時間帯及び（Ｂ）その際における周囲の騒音及び明るさを示すパラメータを格納する。なお、周囲の騒音レベル及び明るさを示すパラメータをどのように定義付けるかについては任意であるが、本実施形態においては説明の具体化のため騒音及び明るさのレベルを５段階に分け、各々、「１」〜「５」に数値化したパラメータ（以下、「安騒音等パラメータ」という）を用いるものとして説明する。
【００６６】
また、本実施形態においてコンテンツデータ再生装置ＣＰ２は、パラメータの平均値を平均値テーブルＴＢＬ２００-ｋにより、図６に示す態様にて管理、保存している。同図に示すように、本実施形態においてユーザの設定履歴の平均値は、当該平均値に対応した時間帯及び安騒音パラメータと対応付けて管理される。換言するならば、本実施形態においては、各時間帯における騒音等のレベル毎に平均値が算出され、この算出された平均値が時間帯及び安騒音パラメータと共に管理、保存されるのである。
【００６７】
かかる構成を有するコンテンツデータ再生装置ＣＰにおいて実際に再生に関する設定を行う場合の具体的な処理について図７を参照しつつ説明する。なお、図７に示す処理は、上記図４と同様に設定変更のタイミングが到来した時点でシステム制御部５が実行するサブルーチンとなっている。
【００６８】
まず、ユーザがメディア再生装置ＭＰ、モニタＭＮ及びコンテンツデータ再生装置ＣＰの電源を投入すると、システム制御部５は図４にフローチャートを示す処理を開始し、上記ソース種別の判別後（ステップＳ１）、自動調節機能が「ＯＮ」の設定状態を判定する（ステップＳ２）。この判定において、「ｎｏ」と判定した場合、システム制御部５は、ステップＳ６と同様の処理を行って処理をステップＳ７に移行するのに対し、「ｙｅｓ」と判定した場合には、ステップＳ３及びＳ４と同様の処理を実行する。
【００６９】
そして、このステップＳ４において「ｎｏ」と判定した場合、システム制御部５はステップＳ６を実行して処理をステップＳ７に移行するのに対し、「ｙｅｓ」と判定した場合、システム制御部５はセンサ部１１から供給される検出信号に基づいて、ユーザの周囲環境に対応した安騒音等パラメータを決定する（ステップＳ１０１）。システム制御部５は、このようにして得られた安騒音等パラメータとステップＳ３において取得された現在時刻に基づいて平均値テーブルＴＢＬ２００-ｋを検索し、当該時刻及び当該安騒音等パラメータに対応付けられたパラメータの平均値を読み出して、当該平均値に基づいて各装置の設定を変更して（ステップＳ１０２）、ステップＳ７へと処理を移行する。
【００７０】
次いで、以上の処理が行われた結果、処理がステップＳ７へと移行するとシステム制御部５は上述したステップＳ７〜ステップＳ１２の処理を実行し、設定切替えのタイミングが到来し、或いは、電源オフコマンドが入力された時点で本サブルーチンを終了する。但し、本実施形態の場合、上述のように平均値テーブルＴＢＬ２００-ｋが時間帯のみならず安騒音等パラメータをも加味して管理されるため、ステップＳ１１においてシステム制御部５が算出した平均値は、ステップＳ１０１において決定された安騒音等パラメータと対応する平均値テーブルＴＢＬ２００-ｋのフィールドに格納される。これにより、各時間帯において設定されたパラメータの平均値が周囲の明るさや騒音レベル毎に算出され、管理されることとなり事後のコンテンツデータ再生時に騒音レベル等を加味して再生に関する設定を行うことが可能となる。
【００７１】
このようにして本実施形態にかかるコンテンツデータ再生装置ＣＰ２は、周辺の騒音及び照度の状態を検出し、当該検出結果に対応した検出信号を出力するセンサ部１１を更に有し、システム制御部５は、この出力された検出信号により示される安騒音等パラメータを時間帯及び音量等のパラメータとを対応付けて履歴テーブルＴＢＬ１-ｋに保存することにより履歴を管理して、コンテンツデータの再生時には、当該時点においてセンサ部１１から出力された検出信号に対応する安騒音等パラメータと対応付けて履歴テーブルＴＢＬ１-ｋに格納されているパラメータを用いてコンテンツデータが再生される。この構成により、時間帯のみならず各履歴に対応したパラメータ設定時の騒音状態までも履歴として管理されることとなり、ユーザの周辺環境が日々変化しているような環境にある場合であっても当該環境の変化に応じた適切な設定変更を実現することが可能となる。
【００７２】
なお、本実施形態においては、コンテンツデータの再生中にユーザの周囲における騒音レベル等が変化したとしても設定状態を変更する構成とはしていなかったが、再生中に騒音等のレベルが変化した場合にパラメータの再設定を行うようにしても良い。また、この場合、ユーザが何れかの設定状態、すなわち、再生中に騒音等のレベルが変化した場合にパラメータの再設定を行うか否かを選択できるようにしても良い。
【００７３】
また更に、かかる構成を採用する場合、騒音等のレベルが変化した瞬間に突然、設定を変更するとユーザに違和感を与えかねない。そこで、コンテンツデータの再生中に騒音等のレベルが変化したような場合には、例えば、パラメータ値を１０秒間隔にて一定値ずつシフトさせ目標値に再設定する等、段階的な設定を行うことにより、ユーザに違和感を与えることなくコンテンツデータの再生中に設定を変更することが可能となる。
【００７４】
更に、かかる構成を採用する場合、騒音及び明るさのレベルの変化量に対して、所定のスレッショルドを設け、当該スレッショルドを越えた場合にのみ、再設定を行うようにしても良い。
【図面の簡単な説明】
【００７５】
【図１】第１実施形態におけるコンテンツデータ再生システムＣＰＳの構成を示すブロック図である。
【図２】同実施形態における履歴テーブルＴＢＬ１-ｋの記録内容の一例を示す図である。
【図３】同実施形態における平均値テーブルＴＢＬ２-ｋの記録内容の一例を示す図である。
【図４】同実施形態におけるコンテンツデータ再生装置ＣＰのシステム制御部５が実行する処理を示すフローチャートである。
【図５】第２実施形態におけるコンテンツデータ再生システムＣＰＳ２の構成を示すブロック図である。
【図６】同実施形態における平均値テーブルＴＢＬ２００-ｋの記録内容の一例を示す図である。
【図７】同実施形態におけるコンテンツデータ再生装置ＣＰのシステム制御部５が実行する処理を示すフローチャートである。
【符号の説明】
【００７６】
ＣＰＳ、ＣＰＳ２・・・コンテンツデータ再生システム
ＲＴ・・・ラジオチューナ
ＴＴ・・・テレビチューナ
ＭＰ・・・メディア再生装置
ＭＮ・・・モニタ
ＣＰ、ＣＰ２・・・コンテンツデータ再生装置
【図１】
2006005886.tif 000003
【図２】
2006005886.tif 000004
【図３】
2006005886.tif 000005
【図４】
2006005886.tif 000006
【図５】
2006005886.tif 000007
【図６】
2006005886.tif 000008
【図７】
2006005886.tif 000009